【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータを復号するためにパレットモードで使用されるエスケープ値が最大値よりも大きくならないように制約されたビットストリームを受信すること、ここにおいて、前記最大値は、（１＜＜（ｎ＋ｂ））−１に従って計算され、ｎは、成分ビット深度であり、ｂは、整数であり、前記ビットストリームは、復号されるべき前記ビデオデータのブロック中のサンプルを表す少なくとも１つのエスケープ値を決定するための情報を含む、と、
前記少なくとも１つのエスケープ値を決定するための前記情報を使用して、前記ビデオデータの前記ブロック中の前記サンプルを再構成することと
を備える、方法。
【請求項２】
ビデオデータを符号化する方法であって、
少なくとも成分ビット深度に基づいて、前記ビデオデータを符号化するためにパレットモードで使用されるエスケープ値のための最大値を決定すること、ここにおいて、前記最大値を決定することは、（１＜＜（ｎ＋ｂ））−１に従って前記最大値を決定することを備え、ｎが成分ビット深度であり、ｂは、整数であり、前記エスケープ値は、符号化されるべき前記ビデオデータのブロック中のサンプルを表す、と、
前記最大値よりも大きくならないように１つまたは複数のエスケープ値を制限することと、
符号化ビデオデータビットストリーム中で前記１つまたは複数のエスケープ値を符号化することと、
前記成分ビット深度をシグナリングすることと
を備える、方法。
【請求項３】
前記パレットモードで使用される前記エスケープ値は、前記ビットストリーム中でシグナリングされたエスケープ値を備える、および／または
前記少なくとも１つのエスケープ値は、前記ビデオデータの前記ブロック中のサンプルを表すために使用されるパレット中のエントリに関連付けられない、および／または
前記成分ビット深度は、色成分入力ビット深度である、
請求項１または２に記載の方法。
【請求項４】
シーケンスパラメータセット中でシグナリングされた前記成分ビット深度を受信することをさらに備える、
請求項１に記載の方法、または
シーケンスパラメータセット中で前記成分ビット深度をシグナリングすることをさらに備える、
請求項２に記載の方法。
【請求項５】
前記最大値は、（１＜＜ｎ）−１に従って計算され、ｎは、前記成分ビット深度である、または
ｂは、１に等しい、
請求項１または２に記載の方法。
【請求項６】
前記成分ビット深度は、デコーダによってサポートされる最大ビット深度である、
請求項１に記載の方法、または
前記成分ビット深度は、エンコーダによってサポートされる最大ビット深度である、
請求項２に記載の方法。
【請求項７】
前記最大値は、少なくとも、成分ビット深度と量子化パラメータ値とに基づく、
請求項１に記載の方法、または
前記最大値を決定することは、
少なくとも、成分ビット深度と量子化パラメータ値とに基づいて、エスケープ値のための前記最大値を決定することを備える、
請求項２に記載の方法。
【請求項８】
前記最大値は、少なくとも、成分ビット深度とｅｘｔｅｎｄｅｄ＿ｐｒｅｃｉｓｉｏｎ＿ｐｒｏｃｅｓｓｉｎｇ＿ｆｌａｇとに基づく、
請求項１に記載の方法、または。
前記最大値を決定することは、
成分ビット深度とｅｘｔｅｎｄｅｄ＿ｐｒｅｃｉｓｉｏｎ＿ｐｒｏｃｅｓｓｉｎｇ＿ｆｌａｇとに基づいて、前記エスケープ値のための前記最大値を決定することを備える、
請求項２に記載の方法。
【請求項９】
少なくとも前記ｅｘｔｅｎｄｅｄ＿ｐｒｅｃｉｓｉｏｎ＿ｐｒｏｃｅｓｓｉｎｇ＿ｆｌａｇに基づいて、指数ゴロム２値化プロセスを呼び出すことによって前記エスケープ値の２値化を導出することをさらに備える、
請求項８に記載の方法。
【請求項１０】
前記ビットストリームは、前記少なくとも１つのエスケープ値が、量子化パラメータ下限以上である量子化パラメータに従って量子化されることを保証する制限に準拠するようにさらに制約され、
前記方法は、前記制限に基づいて前記ビットストリームから前記少なくとも１つのエスケープ値を決定することをさらに備える、
請求項１に記載の方法。
【請求項１１】
前記量子化パラメータ下限は、１のｑＳｔｅｐ値に対応する、および／または
前記量子化パラメータ下限は、成分ビット深度に基づく、および／または
前記量子化パラメータ下限は、前記成分ビット深度が８であるときに４に等しい、
請求項１０に記載の方法。
【請求項１２】
前記ビデオデータのための量子化パラメータ値を決定することと、
量子化パラメータ下限を決定することと、
前記量子化パラメータ値が前記量子化パラメータ下限よりも小さい場合、前記量子化パラメータ下限に従って前記ビデオデータを符号化するためにパレットモードで使用されるエスケープ値を量子化すること、ここにおいて、前記エスケープ値は、符号化されるべき前記ビデオデータのブロック中のサンプルを表す、と
さらにを備え、
前記量子化パラメータ下限を決定することは、
１のｑＳｔｅｐ値に対応する前記量子化パラメータ下限を選定することを備える、および／または
成分ビット深度に基づいて前記量子化パラメータ下限を決定することを備える、および／または
前記成分ビット深度が８であるときに４に等しい前記量子化パラメータ下限を選定することを備える、
請求項２に記載の方法。
【請求項１３】
ビデオデータを復号するように構成された装置であって、
前記ビデオデータを記憶するように構成されたメモリと、
前記ビデオデータを復号するためにパレットモードで使用されるエスケープ値が最大値よりも大きくならないように制約されたビットストリームを受信すること、ここにおいて、前記最大値は、（１＜＜（ｎ＋ｂ））−１に従って計算され、ｎは、成分ビット深度であり、ｂは整数であり、前記ビットストリームは、復号されるべき前記ビデオデータのブロック中のサンプルを表す少なくとも１つのエスケープ値を決定するための情報を含む、と、
前記少なくとも１つのエスケープ値を決定するための前記情報を使用して、前記ビデオデータの前記ブロック中の前記サンプルを再構成することと
を行うように構成された１つまたは複数のプロセッサと
を備える、装置。
【請求項１４】
ビデオデータを符号化するように構成された装置であって、
前記ビデオデータを記憶するように構成されたメモリと、
少なくとも成分ビット深度に基づいて、前記ビデオデータを符号化するためにパレットモードで使用されるエスケープ値のための最大値を決定すること、ここにおいて、前記最大値は、（１＜＜（ｎ＋ｂ））−１に従って計算され、ｎは、成分ビット深度であり、ｂは整数であり、前記エスケープ値は、符号化されるべき前記ビデオデータのブロック中のサンプルを表す、と、
前記最大値よりも大きくならないように１つまたは複数のエスケープ値を制限することと、
符号化ビデオデータビットストリーム中で前記１つまたは複数のエスケープ値を符号化することと、
前記成分ビット深度をシグナリングすることと
を行うように構成された１つまたは複数のプロセッサと
を備える、装置。
【請求項１５】
実行されたとき、１つまたは複数のプロセッサに、請求項１乃至１２のいずれか１項に記載の方法を実行することを行わせる命令を記憶した非一時的コンピュータ可読媒体。